(57)【要約】      （修正有）【課題】非撮影時は撮像レンズを覆うスライドカバーが、閉じる方向に押されただけでは閉動作を行わないようにする。【解決手段】スライドカバーの第２の位置から第１の位置への移動を規制する規制部材と、規制部材の係止部を、移動を規制する状態としない状態とに移動させるカム部材と、カム部材を回転させるギア部材と、ギア部材に係合する係合部を有しスライドカバー部の所定方向への移動により係合部がギア部材を回転させる駆動機構とを備え、スライドカバー部の第２の位置方向への第２の位置を超えた第３の位置への移動により、駆動機構がギア部材と共にカム部材を回転させ、係止部がフレーム部材を規制してスライドカバー部の第１の位置方向への移動を規制し、スライドカバー部の再度の第２の位置を超えた第３の位置への移動で、係止部を規制しない状態へ移動させてフレーム部材の規制を停止し、スライドカバー部の第１の方向への移動を可能とした。【選択図】図６
2006067527.tif 000002
【特許請求の範囲】
【請求項１】
撮像レンズ体を有する撮像装置本体と、該撮像装置本体におけるフレーム部材に、前記撮像レンズ体を保護する第１の位置と前記撮像レンズ体を表出させる第２の位置との間をスライド可能に配置したスライドカバー部と、
前記スライドカバー部に設けられて前記第２の位置にあるスライドカバー部の第１の位置への移動を規制する規制部材と、
前記規制部材を規制する状態と規制しない状態とに切換駆動するカム部材と、前記スライドカバー部の所定方向へのスライド移動により前記カム部材を駆動する駆動機構とを備え、
前記スライドカバー部の第1の位置から第２の位置方向への第２の位置を超えた第３の位置への移動により前記駆動機構がカム部材を回転させ、該回転によって前記規制部材が前記規制する状態に切り換えて、前記スライドカバー部の第1の位置方向への移動を規制することを特徴とする撮像装置。
【請求項２】
前記スライドカバー部の第3の位置への移動により前記駆動機構がカム部材を回転させ、該回転によって前記規制部材が前記規制しない状態に切り換えられ、前記スライドカバー部の第1の位置方向への移動を可能とすることを特徴とする請求項１に記載した撮像装置。
【請求項３】
前記駆動機構は前記カム部材と略平行に配置されてカム部材を回転させるギア部材と、
前記ギア部材に係合する係合部とを有し、前記スライドカバー部を第3の位置に移動させることで前記係合部が前記ギア部材を回転させ、該回転によって回転した前記カム部材により、前記規制部材が前記規制しない状態にある時は規制する状態に、規制する状態にあるときは規制しない状態に移動させる係合部材とを備え、
前記スライドカバー部を第３の位置に移動させることによって前記規制部材を規制する状態と規制しない状態を切り換え駆動させることを特徴とする請求項１または２に記載した撮像装置。
【請求項４】
前記ギア部材は一方向にのみ回転させる機構を有し、前記係合部材の移動により回転するよう構成され、前記カム部材は前記ギア部材の回転により所定の角度回転し、該所定の角度回転する毎に、前記規制部材を規制する状態と規制しない状態とに交互に切り換え駆動させることを特徴とする請求項３に記載した撮像装置。
【請求項５】
前記カム部材は所定の回転角度毎に凹部と凸部を有し、前記規制部材は前記凹部と凸部に係合する凸部を有し、前記カム部材が回転することで、前記規制部材が規制される状態と規制されない状態とに交互に切り換え駆動させることを特徴とする請求項３または４に記載した撮像装置。  
【請求項６】
前記ギア部は回転時に前記係合部と係合する部位が厚く、前記係合部が原位置に復帰する際に当接する部位が薄く構成されていることを特徴とする請求項３乃至５のいずれかに記載した撮像装置。
【請求項７】
撮像レンズ体を有する撮像装置本体と、該撮像装置本体におけるフレーム部材に、前記撮像レンズ体を保護する第１の位置と前記撮像レンズ体を表出させる第２の位置との間をスライド可能に配置したスライドカバー部と、
前記スライドカバー部における前記撮像レンズ体を保護するレンズカバー側に設けられ、前記第２の位置で係止部が前記フレーム部材を係合して前記スライドカバー部の第１の位置への移動を規制する規制部材と、
前記規制部材に設けられた凸部と係合し、所定の回転角度毎に凹部と凸部を有して前記規制部材を前記スライドカバー部を規制する状態と規制しない状態とに切換駆動するカム部材と、
前記カム部材と略平行に配置されるギア部材と、該ギア部材に係合する係合部を有し前記レンズカバー部の、第３の位置への移動により前記係合部が前記ギア部材を回転させ、該回転によって前記カム部材を回転させる駆動機構とを備え、
前記スライドカバー部の第３の位置への移動によって前記規制部材が前記フレーム部材と係合しスライドカバー部の移動を規制する状態と、前記規制部材が前記フレーム部材と係合せずスライドカバー部の移動を規制しない状態とを切換駆動させることを特徴とする撮像装置。
【発明の詳細な説明】
【技術分野】
【０００１】
本発明は、電子カメラ（デジタルカメラ）等における撮像装置に関し、特に、撮像レンズ体を保護するため非撮影時は撮像レンズ体を覆い、撮影時にスライドさせて撮像レンズ体を表出させるスライドカバー部を備えた沈胴式の電子カメラに於いて、撮像レンズ体を表出させている撮影状態時に、誤って撮影者が望まないのにスライドカバー部を閉じて非撮影状態にするのを防止する機構を備えた撮像装置に関するものである。
【背景技術】
【０００２】
電子カメラ（デジタルカメラ）はフィルムを用いたカメラと異なり、撮像素子として用いられるＣＣＤ（電荷結合素子）などの画素数が増大しているにもかかわらず、素子自体の大きさがそれほど大型化していないため、小型化、薄型化、低価格化が進んでいる。
【０００３】
こういった小型化、薄型化の方法としては、非撮影時はレンズをカメラ本体に収納し、撮影時のみレンズを被写体方向に突出させる沈胴式、レンズの直径でカメラの厚みを規制し、光軸をカメラの高さ方向として撮影時に高さ方向を被写体に向けたり、プリズムや反射鏡で光軸を直角に曲げて厚さ方向を被写体に向けて撮影できるようにして、レンズ系の長さを変えないようにした方式などが実用化されている。
【０００４】
このうち、レンズを沈胴式とする方式では、非撮影時に沈胴しているレンズを保護するためにスライドカバーを設け、そのスライドカバーをスライドさせてレンズを表出させたときにメインスイッチが入るようにして沈胴していたレンズを繰り出すと共に、不用意にスライド式カバーを閉じてレンズを破損しないようロックをかけ、レンズとスライドカバーが干渉しない状態になって始めてロックを解除できるようにした、スライドカバーの係止装置を有したカメラが特許文献１に紹介されている。
【０００５】
また同様に、スライドカバー状のレンズバリアが開状態となるとストッパーが突出し、レンズバリアの不用意な閉動作を阻止するようにしたカメラ（以下従来技術１と称する）や、係止板を用い、スライドカバーが撮影位置にあるときにこれを係止して、不用意な閉方向への移動を阻止するようにしたカメラ（以下従来技術２と称する）なども存在する。
【０００６】
【特許文献１】特開平１０−２０６９２８号公報
【発明の開示】
【発明が解決しようとする課題】
【０００７】
しかしながら、これら特許文献１や従来技術１、２に用いられていれるロック機構やストッパー、係止板などを用いた機構では、スライドカバーの閉動作に伴ってスライドカバーがレンズと緩衝しないようにはしているが、例えばスライドカバーがカメラから突出しており、かつ、スライドカバーの開閉動作とカメラの電源オン／オフが連動しているように場合、スライドカバーが何かに触れたり誤って閉じる方向に押された場合、撮影者が望まないのにレンズが沈胴してスライドカバーが閉じられてしまうということが起こる。
【０００８】
そのため本発明においては、スライドカバー部を備えた電子カメラに於いて、スライドカバー部が誤って閉じる方向に押されただけでは閉動作を行わないようにしたスライドカバーの係止機構を設けた撮像装置を提供することが課題である。
【課題を解決するための手段】
【０００９】
上記課題を解決するため本発明における撮像装置は、
撮像レンズ体を有する撮像装置本体と、該撮像装置本体におけるフレーム部材に、前記撮像レンズ体を保護する第１の位置と前記撮像レンズ体を表出させる第２の位置との間をスライド可能に配置したスライドカバー部と、
前記スライドカバー部に設けられて前記第２の位置にあるスライドカバー部の第１の位置への移動を規制する規制部材と、
前記規制部材を規制する状態と規制しない状態とに切換駆動するカム部材と、前記スライドカバー部の所定方向へのスライド移動により前記カム部材を駆動する駆動機構とを備え、
前記スライドカバー部の第1の位置から第２の位置方向への第２の位置を超えた第３の位置への移動により前記駆動機構がカム部材を回転させ、該回転によって前記規制部材が前記規制する状態に切り換えて、前記スライドカバー部の第1の位置方向への移動を規制することを特徴とする。
【００１０】
このように、スライドカバー部を第２の位置で固定するとき、及び第２の位置から第１の位置方向へ移動させるとき、どちらの場合もスライドカバー部を第１の位置から第２の位置方向へ第２の位置を超えて第３の位置へ移動させるという動作をおこない、スライドカバー部を第２の位置で固定するときはスライドカバー部に設けられた規制部材に於ける係止部がフレーム部材を規制して、それによって第１の位置方向への押圧力がスライドカバー部にかかっても第１の位置方向へ移動させることを阻止し、スライドカバー部を第２の位置から第１の位置方向へ移動させるときは、規制部材に於ける係止部によるフレーム部材の規制を外してスライドカバー部の第１の位置方向への移動を可能とすることで、スライドカバー部が第２の位置にある撮影状態の時、例えスライドカバー部が誤って押されてもスライドカバー部は第１の位置への移動動作を行えないようにしたから、撮影者が望まないのにカメラが非撮影状態になることを防止できる。また、こういった操作方法は電子カメラの所有者しかわからないから、カメラ自体の個性化といった面で所有者の満足度が増加する。
【００１１】
そして、前記スライドカバー部の第３の位置への移動により前記駆動機構がカム部材を回転させ、該回転によって前記規制部材が前記規制しない状態に切り替えられ、前記スライドカバー部の第１の方向への移動を可能とすることにより、簡単な機構でスライドカバー部の規制する状態と規制しない状態を切り替えることが可能となる。
【００１２】
また、前記駆動機構は前記カム部材と略平行に配置されてカム部材を回転させるギア部材と、
前記ギア部材に係合する係合部とを有し、前記スライドカバー部を第3の位置に移動させることで前記係合部が前記ギア部材を回転させ、該回転によって回転した前記カム部材により、前記規制部材が前記規制しない状態にある時は規制する状態に、規制する状態にあるときは規制しない状態に移動させる係合部材とを備え、
前記スライドカバー部を第３の位置に移動させることによって前記規制部材を規制する状態と規制しない状態を切り換えることが可能となる。
【００１３】
そして、前記ギア部材は一方向にのみ回転させる機構を有し、前記係合部材の移動により回転するよう構成され、前記カム部材は前記ギア部材の回転により所定の角度回転し、該所定の角度回転する毎に、前記規制部材を規制する状態と規制しない状態とに交互に切り換え駆動させることができる。
【００１４】
また、前記カム部材は所定の回転角度毎に凹部と凸部を有し、前記規制部材は前記凹部と凸部に係合する凸部を有し、前記カム部材が回転することで、前記規制部材が規制される状態と規制されない状態とに交互に切り替え移動させるようにすることが本発明の好適な実施形態である。
【００１５】
さらに、前記ギア部は回転時に前記係合部と係合する部位が厚く、前記係合部が原位置に復帰する際に当接する部位が薄く構成されていることで、前記係合部材におけるギア部材との係合部はギア部材を回転させる時にはギアと容易に係合し、原位置に復帰するときはギアを容易に乗り越えて元に戻ることができる。
【００１６】
そして、撮像レンズ体を有する撮像装置本体と、該撮像装置本体におけるフレーム部材に、前記撮像レンズ体を保護する第１の位置と前記撮像レンズ体を表出させる第２の位置との間をスライド可能に配置したスライドカバー部と、
前記スライドカバー部における前記撮像レンズ体を保護するレンズカバー側に設けられ、前記第２の位置で係止部が前記フレーム部材を係合して前記スライドカバー部の第１の位置への移動を規制する規制部材と、
前記規制部材に設けられた凸部と係合し、所定の回転角度毎に凹部と凸部を有して前記規制部材を前記スライドカバー部を規制する状態と規制しない状態とに切換駆動するカム部材と、
前記カム部材と略平行に配置されるギア部材と、該ギア部材に係合する係合部を有し前記レンズカバー部に、第３の位置への移動により前記係合部が前記ギア部材を回転させ、該回転によって前記カム部材を回転させる駆動機構とを備え、
前記スライドカバー部の第３の位置への移動によって前記規制部材が前記フレーム部材と係合しスライドカバー部の移動を規制する状態と、前記規制部材が前記フレーム部材と係合せずスライドカバー部の移動を規制しない状態とを切換駆動させることも、本発明の好適な実施例である。
【発明の効果】
【００１７】
本発明によれば、撮像レンズ体を保護するためにスライドカバー部を備えた電子カメラに於いて、スライドカバー部が誤って第１の位置方向に押されただけでは閉動作を行わないようにしたから、例えスライドカバー部が誤って押されてもスライドカバー部は閉動作を行うことは無く、撮影者が望まないのにカメラが不使用状態になることを防止できる。
【発明を実施するための最良の形態】
【００１８】
以下、図面を参照して本発明の好適な実施例を例示的に詳しく説明する。但しこの実施例に記載されている構成部品の寸法、材質、形状、その相対的配置等は特に特定的な記載がない限りは、この発明の範囲をそれに限定する趣旨ではなく、単なる説明例に過ぎない。
【００１９】
図１乃至図４は、本発明の撮像装置を備えた一例の電子カメラの概略を説明するための図であり、図１は非撮影状態の電子カメラ１０を正面側（被写体側）から示す斜視図、図２は電子カメラ１０を同じく背面側から示す斜視図、図３は撮影時の電子カメラ１０を正面側から見た図、図４は同じく背面側から見た図である。
【００２０】
図示の電子カメラ１０は、撮像装置本体１１を有し、この撮像装置本体１１の前面（正面：被写体）側には、撮像レンズ体２１（図３参照）が装着されている。この撮像レンズ体２１は、レンズユニットの一部を構成し、図示はしないが、レンズユニットはさらにシャッタ機構及びＣＣＤ（電荷結合素子）などの撮像素子を有している。
【００２１】
さらに、撮像装置本体１１にはスライドカバー部１２が装着され、このスライドカバー部１２は、撮像装置本体１１に、図１に実線矢印で示す方向にスライド可能に支持されており、このスライドカバー部１２によって非撮影時には撮像レンズ体２１が保護される。つまり、スライドカバー部１２は撮像レンズ体２１を覆う第１の位置と撮像レンズ体２１を露出させる第２の位置との間でスライド可能となっている。
【００２２】
このスライドカバー部１２は、正面側に位置する正面部（レンズカバー部）１２ａ、正面側から見て右側面側に位置する右側面部１２ｂと、背面側に位置する背面部（表示部カバー部）１２ｃとを有しており、撮像装置本体１１を正面部１２ａと背面部１２ｃとで挟むようにして、撮像装置本体１１にスライド可能に配置されている。図示の例では、正面部１２ａから右側面部１２ｂにわたって、つまり、二面にわたってストロボ発光部１３が形成されており（スライドカバー部１２が開く方向の端部側において、スライドカバー部１２の前面及び少なくとも前面に連続する側面にストロボ発光部を形成する）、このストロボ発光部１３からストロボ撮影の際、光が発光される。なお、上述の例では、撮像装置本体１１、撮像レンズ体２１、スライドカバー部１２によって撮像装置１６が構成される。
【００２３】
図２に示すように、撮像装置本体１１の背面には表示部（例えば、液晶ディスプレイ）１４が配置されるとともに、操作部１５が配置されており、操作部１５には、例えば、レリーズボタン、モードダイヤル、及び各種ファンクションキー等が備えられている。そして、前述の第１の位置にスライドカバー部１２が位置付けられている際には、背面部１２ｃによって液晶ディスプレイ１４の一部分が覆われた状態となる（背面部１２ｃは液晶ディスプレイ１４の全てを覆うようにしてもよいが、少なくとも液晶ディスプレイ１４の一部を覆うようにすればよい）。
【００２４】
図３及び図４を参照して、電子カメラ１０で撮影を行う際には、スライドカバー部１２を第１の位置から第２の位置にスライドさせる。これによって、図３に示すように、撮像レンズ体２１が露出し、主電源がオン状態となって、液晶ディスプレイ１４が明るくなるが、このとき本発明になる電子カメラ１０は、スライドカバー部１２を単に撮像レンズ体２１を露出させて開位置とする第２の位置に移動させるだけでなく、後記するようにさらに引き出すことによって主電源がオン状態になり、また、カバー部１２が撮像レンズ体２１を覆う閉位置に戻すときも、同様にして開位置である第２の位置からさらにスライドカバー部１２を引き出すことで、撮像レンズ体２１が沈胴し、かつ、スライドカバー部１２が閉位置の第１の位置に戻すことができるようになると共に主電源がオフ状態となる。
【００２５】
また、スライドカバー部１２を第１の位置から第２の位置にスライドさせると、図４に示すように、スライドカバー部１２の背面部１２ｃがスライドして、液晶ディスプレイ１４の全てが露出することになる。また、スライドカバー１２のスライドによってストロボ発光部１３は撮像レンズ体２１の取付位置よりもさらに外側に移動することになって、ストロボ撮影の際には、撮像レンズ体２１とストロボ発光部１３との距離が大きくなり、赤目現象などを防止することができる。
【００２６】
図３に示すように、シャッターボタン２２は撮像装置本体１１の上面の一端部側に配置されており、スライドカバー部１２はシャッターボタン２２の配置された一端部側とは逆の端部側方向にスライドする。これによって、電子カメラ１０を両手で把持して撮影を行う際、シャッターボタン操作を行う手とは別の手でスライドカバー部１２をスライド操作することができる。
【００２７】
ストロボ撮影を行う際には、操作部１５によってストロボ撮影モードをオンするとともに、各種撮影モード、画像再生モード、及びフラッシュ待ち時間等を設定する。この各種撮影モードには、例えば、「通常撮影」、「連写撮影」、「ファイン撮影」、「静止画」、及び「動画」等があり、画像再生モードには「静止画」及び「動画」等がある。そして、画像再生モードを設定すると、撮影後液晶画面１４に撮影した画像が再生表示される。これら各種撮影モード、画像再生モード、及びフラッシュ待ち時間等は動作モードと呼ばれ、撮像装置本体１１に収納されたマイクロプロセッサ（制御手段及び電源オン手段：図示せず）は、動作モードに応じて光の強さ、色を変化させることや、点滅させる等、ストロボ発光部１３からの発光を制御することができる。
【００２８】
前述のシャッタ機構は、例えば、オートフォーカス（ＡＦ）機構、絞り機構、及びフィルタ機構等を有しており、レリーズ時における露光を制御する。撮像レンズ体２１から入射した被写体等の光学像は、ＣＣＤに結像されて光学像が電気信号に変換される。そして、マイクロプロセッサによってＣＣＤからの出力信号（電気信号）は、所定のサンプリング周波数でサンプリングされてデジタル値（デジタル画像データ）に変換され、デジタル画像データを色差成分と輝度成分に分けて、例えばＪＰＥＧ（Ｊｏｉｎｔ  Ｐｈｏｔｏｇｒａｐｈｉｃ  Ｅｘｐｅｒｔｓ  Ｇｒｏｕｐ）準拠の画像圧縮／伸長のための直交変換及びハフマン符号化／復号化等の処理が行われる。そして、このようにして圧縮処理された画像データは一旦メモリに記憶される。
【００２９】
つまり、図示の電子カメラでは、レリーズボタン又はシャッターボタン２２を押下する以前から、ＣＣＤによって捉えられている画像を液晶ディスプレイ１４にリアルタイムで表示し、液晶ディスプレイ１４は電子的に撮像視野を確認するための電子ファインダ機能を有しており、この電子ファインダを観察しつつ、レリーズボタン等を操作して撮像を行うことになる。この際、必要に応じてストロボ発光部１３を発光させ、撮像によって得られた画像データは、ファンクションキーによって再生操作を行うと、随時撮像結果として液晶ディスプレイ１４に表示される。
【００３０】
このようにして、液晶ディスプレイ１４には撮像前及び撮像中のデジタル画像データがリアルタイムで表示され、電子ファインダとして機能し、さらに、撮像後のデジタル画像データ及び伸長されて復元された記録画像データが表示される。また、液晶ディスプレイ１４には電子カメラの動作状態等のモード表示が行われる。なお、電子カメラの電源部には、バッテリーが用いられ、バッテリーは、Ｎｉ−Ｃｄ（ニッケルカドミウム）電池、ニッケル水素電池、又はリチウム電池等が用いられる。
【００３１】
図示の電子カメラでは、ストロボ発光部１３を撮像装置１６の前面（被写体側の面）から少なくとも前面に連続する一側面にわたって形成するようにしたから、ストロボ撮影の際、簡単な構成で広範囲にストロボ発光部１３から光を照射することができることになり、しかもストロボ発光部１３の発光状況を被写体側のみならず、撮影者側からも容易に視認することができる。
【００３２】
また、ここでは、撮像レンズ体２１を保護するスライドカバー部（レンズカバー）１２にストロボ発光部１３を配置して、スライドカバー部１２が開く方向の端部側において、スライドカバー部１２の前面及び少なくとも前面に連続する側面にストロボ発光部１３を形成するようにしたから、スライドカバー部１２をスライドさせて撮像レンズ体２１を露出させた際には、ストロボ発光部１３と撮像レンズ体２１との距離が大きくなり、ストロボ撮影の際に生じる赤目現象を低減できる。
【００３３】
さらに、スライドカバー部１２は前面部と背面部とを有し、前面部によって撮像レンズ体２１が覆われている際には、背面部によって液晶ディスプレイ１４の少なくとも一部が覆われるようにしたので、非撮影時においては、スライドカバー部１２によって撮像レンズ体２１が保護されると共に、液晶ディスプレイ１４の保護も行われる。また、前記したようにスライドカバー部１２をスライドさせて撮像レンズ体２１を露出させた時に主電源がオンされるようにし、また逆に、スライドカバー部１２をスライドさせて撮像レンズ体２１を該スライドカバー部１２によって覆うと、電源がオフされるようにしたので、使用動作と主電源のオン・オフが一致しており、電源のオフを失念することがない。
【００３４】
加えて、シャッターボタン２２を撮像装置本体の上面の一端部側に配置して、スライドカバー部１２はシャッターボタン２２の配置された一端部側とは逆の端部側方向にスライドするようにしたから、電子カメラ１０を両手で把持して撮影を行う際、シャッターボタン２２の操作を行う手（指）とは別の手でスライドカバー部１２をスライド操作することができ、操作性が向上されることになる。
【００３５】
図５は撮像装置本体１１とスライドカバー部１２とを分解して示す斜視図であり、図６はさらにスライドカバー部１２の開閉に伴う係止機構の概略を示した斜視図、図７、図８はスライドカバー部１２の開閉に伴う係止機構の動作を説明するための図で、図７はスライドカバー部１２が撮像レンズ体２１を覆っている第１の位置から撮像レンズ体２１を表出させる第２の位置に移動させる場合の動作、図８は逆にスライドカバー部１２が撮像レンズ体２１を表出している第２の位置から撮像レンズ体２１を覆う第１の位置へ移動させる場合の動作である。
【００３６】
図示の例では、撮像装置本体１１内に収納されるマイクロプロセッサ等の各種制御要素等は省略されている。撮像装置本体１１の一側面（撮像装置本体１１の背面側から見て左側面）には他側面（右側面）側に延びる中空部３１が形成されており、図示の例では、この中空部３１は角筒状に成形されている。この中空部３１の四辺（一側面側から他側面側に延びる四辺）には、フレーム部材（ガイド部材）３１ａ〜３１ｄが配置され、このフレーム部材３１ａ〜３１ｄによって中空部３１が規定されている。なお、この中空部３１は、スライドカバー部１２が第１の位置に位置付けられて、撮像レンズ体２１が覆われた際、後述するようにして、フレームカバー部１２が収納される奥行きを有している。
【００３７】
図５に示したように、スライドカバー部１２は略角柱状のフレーム体（挿入体）１２１を有しており、フレーム体１２１の前面（正面）から側面に渡って前述のストロボ発光部１３が取り付けられている。図５に於けるフレーム体１２１の正面１２１ａ、側面１２１ｂ、及び背面１２１ｃには、前記した正面部１２ａ、側面部１２ｂ、及び背面部１２ｃが取り付けられる。そして、フレーム体１２１の上面１２１ｄ及び下面１２１ｅは、フレーム体１２１の正面１２１ａ及び背面１２１ｃに比べてその長手方向寸法が短く成形されて切り欠き部１２１ｆを形成しており、図３から明らかなように、フレームカバー部１２が撮像レンズ体２１を露出させる第２の位置にスライドされたとき、この切り欠き部１２１ｆの存在によってスライドカバー部１２の内部が外部空間と連通する。
【００３８】
そしてフレーム体１２１の内部空間には、ストロボ発光部１３に接続され、ストロボ発光部１３に高電圧（ストロボ電圧）を供給するストロボユニット（図示せず）が配設されている。ストロボユニットの長手方向寸法は、フレーム体１２１の上面１２１ｄ及び下面１２１ｅの長手方向長さ未満とされ、ストロボユニットはフレーム体１２１の正面１２１ａ、側面１２１ｂ、背面１２１ｃ、上面１２１ｄ、下面１２１ｅで規定される内部空間に収納されている。
【００３９】
フレーム体１２１の正面１２１ａ及び背面１２１ｃの長手方向辺（長手方向エッジ）１２２ａ〜１２２ｄ（エッジ１２２ｂは示されていないが、エッジ１２２ａに対向するエッジである）は、それぞれガイド部材として機能するフレーム部材３１ａ〜３１ｄ（このフレーム部材３１ａ、３１ｃはフレーム部材３１１の端部であり、フレーム部材３１ｂ、３１ｄもフレーム部材３１１と同様な他のフレーム部材の端部である）に案内されて、前述の中空部３１に挿入される。これによって、フレーム体１２１、つまり、スライドカバー部１２が中空部３１に挿入されることになるが、フレーム体１２１は、上面１２１ｄ又は下面１２１ｅのいずれかが中空部３１を規定する奥行き側端部に当接した際、その挿入が停止される。この位置が前述した第１の位置である。
【００４０】
前述のように、フレーム体１２１の正面１２１ａ及び背面１２１ｃはその長手方向長さが上面１２１ｄ及び１２１ｅよりも長いから、フレーム部材３１ａ〜３１ｄに案内されつつ中空部３１から出てそれぞれ撮像装置本体１１の正面及び背面に沿って図５の左方向に移動することになる。この結果、第１の位置においては、フレーム体１２１の正面１２１ａ（つまり、スライドカバー部１２の正面部１２ａ）及びフレーム体１２１の背面１２１ｃ（つまり、スライドカバー部１２の背面部１２ｃ）によってそれぞれ撮像レンズ体２１及び液晶表示部１４が覆われることになる。
【００４１】
このようにして、スライドカバー部１２を撮像装置本体１１に形成された中空部３１に収納すると、スライドカバー部１２によって撮像レンズ体２１及び液晶ディスプレイ１４がスライドカバー部１２の一部によって覆われ、しかもスライドカバー部１２の表面にストロボ発光部１３を形成して、ストロボ発光部１３に電圧を印加するストロボユニット４３をスライドカバー部１２内に収納するようにしたから、つまり、非撮像時においては、スライドカバー部１２が撮像装置本体１１内に収納されるから、非撮影時におけるカメラ寸法を小さくすることができることになる。
【００４２】
図６乃至８において４０は係合部材で、これは、撮像装置本体１１に固定されているフレーム部材３１１との当接部４０１を有し、ピン４０２で規制される範囲を移動可能とされていると共に、付勢部材たるスプリング４１によって第２の位置への方向、すなわち図上フレーム部材３１１方向への押圧力を掛けられ、係合部４０３によってギア部材４２と係合している。ギア部材４２は、所定角度毎のギアを有してこのギアが係合部４０３と係合し、バネ部材４３によって一方向のみに回転できるようにされて係合部材４０の往復動に伴って所定角度回転する。なお、このギア部材４０における係合部４０３が係合して係合部材４０の往復動によってギア部材４２を回転させる側は厚く形成され、係合部材４０の往復動によって係合部４０３が送られたギアとの係合を離れ、次のギアと容易に係合できるようギアの逆側は薄く形成されている。そのため、係合部材４０におけるギア部材４２との係合部４０３はギア部材４２を回転させる時にはギアと容易に係合し、原位置に復帰するときはギアを容易に乗り越えて元に戻ることができる。
【００４３】
また、ギア部材４２は、カム部材４５と略平行に配置されてこのカム部材４５を所定角度毎に回転させ、そしてカム部材４５は、ギア部材４２に与えられた所定回転角度毎に凹部と凸部を有している。４４は係止部４４１により、フレーム部材３１１における係止部位３１２を規制することでスライドカバー部１２の第２の位置から第１の位置へのスライドを規制する規制部材であり、この規制部材４４は、カム部材４５における凹部と凸部に係合する凸部を有し、係止部４４１をフレーム部材３１１における係止部位３１２を規制する状態と、規制しない状態とに切り替え駆動するようになっている。
【００４４】
そのためスライドカバー部１２は、撮像レンズ体２１を覆う第１の位置から、撮像レンズ体２１を表出させる第２の位置の方向へ第２の位置を超えた第３の位置へスライドさせることで、係合部４０３がギア部材４２を回転させ、同時に回転したカム部材４５により、規制部材４４に於ける係止部４４１が、フレーム部材３１１における係止部位３１２を規制する。一方、第２の位置である撮像レンズ体２１を表出させる位置から、撮像レンズ体２１を覆う第１の位置へスライドカバー部１２を移動させるときは、同様に第２の位置から、スライドカバー部１２をさらに開く方向へ第２の位置を超えて第３の位置へスライドさせることで、係合部４０３がギア部材４２を回転させ、同時に回転したカム部材４５により、規制部材４４に於ける係止部４４１によるフレーム部材３１１における係止部位３１２の規制を外し、スライドカバー部１２を撮像レンズ体２１を覆う第１の位置への移動を可能とする。
【００４５】
この動作を詳細に示したのが図７、図８であり、まず図７を用い、スライドカバー部１２が撮像レンズ体２１を覆っている第１の位置から撮像レンズ体２１を表出させる第２の位置に移動させる場合を説明すると、図７（Ａ）は、スライドカバー部１２が撮像レンズ体２１を覆っている第１の位置に於ける状態であり、規制部材４４は、フレーム部材３１１における係止部位３１２を規制せず、スライドカバー部１２は自由に第２の位置方向へ移動（スライド）が可能である。
【００４６】
この状態から、スライドカバー部１２を撮像レンズ体２１を表出させる第２の位置方向へスライドさせ、図７（Ｂ）に示したように、フレーム部材３１１が係合部材４０におけるフレーム部材３１１との当接部４０１と当接した位置が撮像レンズ体２１を表出させる第２の位置であり、このときも規制部材４４は、フレーム部材３１１における係止部位３１２を規制せず、スライドカバー部１２はまだ第１の位置方向への移動（スライド）が可能である。
【００４７】
この撮像レンズ体２１を表出させる第２の位置から、さらにスライドカバー部１２を第２の位置を超えて第３の位置方向へスライドさせると、図７（Ｃ）に示したように、フレーム部材３１１が係合部材４０におけるフレーム部材３１１との当接部４０１をスプリング４１に抗して押し、係合部材４０における係合部４０３がギア部材４２を回転させ、同時にカム部材４５を回転させる。そのため、このカム部材４５における凸部が規制部材４４における凸部を押し、規制部材４４における係止部４４１がフレーム部材３１１における係止部位３１２を規制する位置となり、図７（Ｄ）のように、スライドカバー部１２を第２の位置である第２の位置に戻すと、この係止部４４１がフレーム部材３１１における係止部位３１２を規制する。
【００４８】
そのため、スライドカバー部１２は、前記図３、図４に示したように撮像レンズ体２１を表出させ、スライドカバー部１２を第２の位置から第１の位置方向へ押しても、スライドカバー部１２内に設けられた規制部材４４がフレーム部材３１１における係止部位３１２を規制しているから、スライドカバー部１２を閉じることはできない。
【００４９】
この状態から図８（Ａ）に示したように、撮像レンズ体２１を表出させる第２の位置からさらにスライドカバー部１２を第２の位置を超えて第３の位置方向へスライドさせると、前記と同様フレーム部材３１１が係合部材４０におけるフレーム部材３１１との当接部４０１をスプリング４１に抗して押し、係合部材４０における係合部４０３がギア部材４２を回転させ、同時にカム部材４５を回転させる。そのため今度は、このカム部材４５における凹部が規制部材４４における凸部に当接し、規制部材４４を図上上方向に移動させて係止部４４１によるフレーム部材３１１における係止部位３１２の規制を解き、それは、図８（Ｂ）のように、スライドカバー部１２を第２の位置に戻しても同じである。
【００５０】
そのため、スライドカバー部１２は図８（Ｃ）に示したように、第２の位置から撮像レンズ体２１を覆う第１の位置方向へのスライドが可能となり、前記図１、図２に示したように撮像レンズ体２１を覆って非撮影状態となる。
【００５１】
このようにスライドカバー部１２を第２の位置で固定するとき、及び第２の位置から第１の位置方向へ移動させるとき、どちらの場合もスライドカバー部１２を第１の位置から第２の位置方向へ第２の位置を超えた第３の位置へ移動させるという動作により、スライドカバー部１２を第２の位置で固定するときは、スライドカバー部１２に設けられた規制部材４４に於ける係止部４４１がフレーム部材３１１を規制し、それによって第１の位置方向への押圧力がスライドカバー部１２にかかっても第１の位置方向へ移動させることを阻止し、スライドカバー部１２を第２の位置から第１の位置方向へ移動させるときは、規制部材４４に於ける係止部４４１によるフレーム部材３１１の規制を外し、スライドカバー部の第１の位置方向への移動を可能とすることで、スライドカバー部が第２の位置にある撮影状態の時、例えスライドカバー部が誤って押されてもスライドカバー部は閉動作を行うことが無く、撮影者が望まないのにカメラが非撮影状態になることを防止できる。
【産業上の利用可能性】
【００５２】
本発明によれば、撮像レンズ体を保護するために非撮影時は撮像レンズ体を覆い、撮影時にスライドさせてカメラから突出させ、撮像レンズ体を表出させるスライドカバー部を備えた電子カメラに於いて、スライドカバー部が誤って閉じる方向に押されただけでは閉動作を行わないようにしたから、撮影者が望まないのにカメラが非撮影状態になることを防止できる撮像装置を提供することができる。
【図面の簡単な説明】
【００５３】
【図１】本発明の撮像装置を備えた一例の電子カメラにおける、非撮影状態を正面側（被写体側）から示した斜視図である。
【図２】本発明の撮像装置を備えた一例の電子カメラにおける、非撮影状態を背面側から示した斜視図である。
【図３】本発明の撮像装置を備えた一例の電子カメラにおける、撮影時を正面側（被写体側）から見た斜視図である。
【図４】本発明の撮像装置を備えた一例の電子カメラにおける、撮影時を背面側から見た斜視図である。
【図５】撮像装置本体とスライドカバー部とを分解して示す斜視図である。
【図６】スライドカバー部の開閉に伴う係止機構の概略を示した斜視図である。
【図７】スライドカバー部の開閉に伴う係止機構の動作を説明するための図で、スライドカバー部が撮像レンズ体を覆っている第１の位置から撮像レンズ体を表出させる第２の位置に移動させる場合の動作である。
【図８】スライドカバー部の開閉に伴う係止機構の動作を説明するための図で、スライドカバー部が撮像レンズ体を表出している第２の位置から撮像レンズ体を覆う第１の位置へ移動させる場合の動作である。
【符号の説明】
【００５４】
１０  電子カメラ
１１  撮像装置本体
１２  スライドカバー部
１２ａ  レンズカバー部（正面部）
１２ｂ  左側面部
１２ｃ  背面部（表示部カバー部）
１２１  略角柱状のフレーム体（挿入体）
１２１ａ  フレーム体１２１の正面
１２１ｂ  側面
１２１ｃ  背面
１２１ｄ  上面
１２１ｅ  下面
１２１ｆ  切り欠き
１２２ａ〜１２２ｄ  フレーム体の正面及び背面の長手方向辺（長手方向エッジ）
１３  ストロボ発光部
１４  表示部
１５  操作部
１６  撮像装置
２１  撮像レンズ体
２２  シャッターボタン
３１  中空部
３１ａ〜３１ｄ  フレーム部材（ガイド部材）
３１１  フレーム部材
３１２  規制部材４４の係止部４４１がフレーム部材３１１を規制する部位
４０  係合部材
４０１  フレーム部材との当接部
４０２  ピン
４０３  係合部
４１  付勢部材たるスプリング
４２  ギア部材
４３  ギア部材４２の回転方向を一方向のみとする部材
４４  規制部材
４４１  係止部
４５  カム部材
【図１】
2006067527.tif 000003
【図２】
2006067527.tif 000004
【図３】
2006067527.tif 000005
【図４】
2006067527.tif 000006
【図５】
2006067527.tif 000007
【図６】
2006067527.tif 000008
【図７】
2006067527.tif 000009
【図８】
2006067527.tif 000010